(57)【要約】【課題】送信電力の切替段階が多くなったときでも、送信電力の制御を一つの判定部で処理することで構成を簡潔にし、また、しきい値をテーブル内に規則的に並べることによって処理に要する時間を短縮する送信電力制御装置を得ることを目的とする。【解決手段】本発明における送信電力制御装置１は、受信電力値に応じた送信電力の切替を指示する送信電力制御装置１であって、切替の判定に用いるしきい値を蓄積する記憶部２と、現在の送信出力および現在の受信電力値を受け、記憶部２に蓄積されたしきい値に基づいて、現在の送信出力および現在の受信電力値に応じた送信電力の切替を指示する切替信号を出力する切替手段３とを備える。【選択図】図１
2008124607.tif 000002
【特許請求の範囲】
【請求項１】
受信電力値に応じた送信電力の切替を指示する送信電力制御装置であって、
前記切替の判定に用いるしきい値を蓄積する記憶部と、
現在の送信出力および現在の受信電力値を受け、前記記憶部に蓄積されたしきい値に基づいて、前記現在の送信出力および前記現在の受信電力値に応じた送信電力の切替を指示する切替信号を出力する切替手段と、を備える送信電力制御装置。
【請求項２】
前記送信電力の切替は複数段階にわたって行われ、
前記切替手段は、
前記現在の送信出力から現在の送信電力の切替の段階を選択する選択部と、
選択された前記現在の送信電力の切替の段階に対応する前記しきい値を前記記憶部から読み出し、当該しきい値に基づいて前記現在の受信電力値に応じた前記送信電力の切替の段階を判定する判定部と、
前記判定結果に基づいて前記切替信号を出力する命令部と、を備える請求項１記載の送信電力制御装置。
【請求項３】
前記記憶部に蓄積された前記しきい値は二次元のテーブルを構成し、前記テーブルの各行には各々の前記送信電力の切替の段階が有する前記しきい値を蓄積し、前記蓄積されたしきい値は前記判定部での処理順に配列されていることを特徴とする請求項２記載の送信電力制御装置。
【請求項４】
前記記憶部のしきい値に前記受信電力値の最小単位を加減することを特徴とする請求項３記載の送信電力制御装置。
【請求項５】
請求項１から４のいずれか記載の前記送信電力制御装置によって制御された前記送信電力を用いて無線通信を行う移動局であって、
受信部と、
前記受信部から前記受信電力値を得る前記送信電力制御装置と、
前記送信電力制御装置からの前記切替信号に応答して前記送信電力の切替を行う送信部と、を備える移動局。
【発明の詳細な説明】
【技術分野】
【０００１】
本発明は、受信電力値に応じて送信電力を制御する移動局の送信電力制御装置に関するものである。
【背景技術】
【０００２】
従来技術における移動局の送信電力制御方法の一つに、移動局の受信電力値とその目標値との間に差が生じた場合に送信電力を切り替える方法がある。
【０００３】
ここで、移動局は、受信部、送信部、送信電力制御装置を備えており、送信電力制御装置内には複数の判定部を備えている。送信電力の切替は、ある受信電力値の範囲ではある送信電力と規定されている。また、判定部はしきい値を有しており、しきい値に基づいて受信電力値がどの範囲にあるかを判定する機能である。以上から、送信電力制御装置では、受信部から受信電力値を得て、送信電力制御装置の判定部で受信電力値がどの範囲にあるか判定し送信電力の切替の段階を決定する処理を実施し、決定された送信電力への切替を送信部に命令する。このような処理が一定周期で行われて、移動局の送信電力が複数段階にわたって切り替わり、受信電力値の変化に応じて送信電力が制御される。
【０００４】
ここで、送信電力の切替に用いるしきい値は、切替条件と復帰条件が異なるように設定されている。すなわち、各々の判定部が有するしきい値は異なっている。
【０００５】
移動局と基地局との間の送信電力制御方式および装置構成に関する基本的な特許は下記特許文献１に記載されている。
【０００６】
【特許文献１】特許第２７７６６３２号公報
【発明の開示】
【発明が解決しようとする課題】
【０００７】
しかしながら従来の送信電力制御装置では、送信電力を切り替えるときは上限値または下限値を基準にするが、送信電力を復帰するときは復帰用上限値または復帰用下限値を基準にするため、判定部の処理が同じにはならない。すなわち、各切替段階の受信電力に対応する判定部をそれぞれ備えて、さらに、判定部での処理をする際に現在の送信出力を見て判定部を選択する選択部を備える構成となる。よって、送信電力の切替数が多くなると多数の判定部を備える必要があり、さらに各判定部内の処理数も多くなるという問題があった。
【０００８】
そこで本発明は、判定部を一つに集約でき、また、しきい値をテーブル内に規則的に並べることによって処理に要する時間を短縮する送信電力制御装置を得ることを目的とする。
【課題を解決するための手段】
【０００９】
本発明における送信電力制御装置は、受信電力値に応じた送信電力の切替を指示する送信電力制御装置であって、前記切替の判定に用いるしきい値を蓄積する記憶部と、現在の送信出力および現在の受信電力値を受け、前記記憶部に蓄積されたしきい値に基づいて、前記現在の送信出力および前記現在の受信電力値に応じた送信電力の切替を指示する切替信号を出力する切替手段とを備える。
【発明の効果】
【００１０】
請求項１に記載のように、送信電力制御装置に記憶部を備えることにより、送信電力の切替数が多くなったとしても記憶部にしきい値を蓄積することにより判定部を一つに集約することができる。すなわち、処理時に記憶部から必要な値を読み出して送信電力を判定すればよく、簡潔な構成となる。
【発明を実施するための最良の形態】
【００１１】
［実施の形態１］
図１を参照して、本発明の実施の形態１にかかる送信電力制御装置１の構成について説明する。
【００１２】
図１は、移動局１００における送信電力制御装置１の構成である。送信電力制御装置１は、受信電力値に応じた送信電力の切替を指示する装置であり、送信電力の切替の判定に用いるしきい値を蓄積する記憶部２と、記憶部２に蓄積されたしきい値に基づいて、現在の送信出力および現在の受信電力値に応じた送信電力の切替を指示する切替信号を出力する切替手段３とを備える。
【００１３】
この送信電力の切替は複数段階にわたって行われ、切替手段３は、現在の送信出力から現在の送信電力の切替の段階を選択する選択部４と、選択された現在の送信電力の切替の段階に対応するしきい値を記憶部２から読み出し、当該しきい値を用いて現在の受信電力値に対応する送信電力の切替の段階を判定する判定部５と、判定結果に基づいて切替信号を出力する命令部６とを備える。
【００１４】
移動局１００は、この送信電力制御装置１によって制御された送信電力を用いて無線通信を行い、受信部８と、受信部８から受信電力値を得る送信電力制御装置１と、送信電力制御装置１からの切替信号に応答して送信電力の切替を行う送信部７とを備える。
【００１５】
次に、本発明における送信電力制御とは移動局１００の受信電力値とその目標値との間に差が生じた場合に送信電力を切り替えて目標値に近づける方式である。図２，３，４を参照して３段階（低、標準、高）の切替段階を有する送信電力の具体的な制御方法について説明する。
【００１６】
移動局１００の受信電力値が上限値以下および下限値以上の場合は標準の送信電力を継続する（図２）。次に、受信電力値が下限値を下回った場合は送信電力を標準より高い出力に切り替える。切替後に受信電力値が復帰用下限値を上回ってくると標準の送信電力に復帰する（図３）。ここで、復帰用下限値は下限値よりある程度高い値に設定されている。次に、受信電力値が上限値を上回った場合は送信電力を標準より低い出力に切り替える。切替後に受信電力値が復帰用上限値を下回ってくると標準の送信電力に復帰する（図４）。ここで、復帰用上限値は上限値よりある程度低い値に設定されている。
【００１７】
次に、上記の送信電力の制御方法を用いて送信電力の切替段階が３段階（低、標準、高）の場合の送信電力制御装置１の動作について説明する。
【００１８】
図５はこのときの記憶部２に蓄積されているしきい値を示す図であり、二次元のテーブルを構成している。このしきい値を用いて判定部５では以下の判定を行うものとする。
【００１９】
選択部４で低が選択されたときは現在の受信電力値に対して、受信電力≧復帰用上限値、復帰用上限値＞受信電力≧下限値、下限値＞受信電力のどれが成立するか判定される。また、選択部４で標準が選択されたときは現在の受信電力値に対して、受信電力≧上限値、上限値＞受信電力≧下限値、下限値＞受信電力のどれが成立するか判定される。また、選択部４で高が選択されたときは現在の受信電力値に対して、受信電力≧上限値、上限値＞受信電力≧復帰用下限値、復帰用下限値＞受信電力のどれが成立するか判定される。
【００２０】
まず、図４を参照して、受信電力値が標準状態から上限値を上回るとき（受信電力≧上限値）の動作について説明する。受信電力値が上限値を上回る前の送信電力は標準状態であるので、送信部７から送られる現在の送信出力は標準である。次に選択部４で標準の送信電力の切替の段階が選択され、記憶部２から標準の送信電力の切替の段階に対応するしきい値が読み出される。次に、読み出したしきい値を基に判定部５にて現在の受信電力値が受信電力≧上限値の範囲であることが判定され、命令部６は判定結果を受け送信部７へ送信電力を低状態へ切り替える切替信号を出力する。
【００２１】
次に、上限値を上回っていた受信電力値が復帰用上限値を下回ったとき（復帰用上限値＞受信電力≧下限値）の動作について説明する。受信電力値が復帰用上限値を下回る前の送信電力は低状態であるので、送信部７から送られる現在の送信出力は低である。次に選択部４で低の送信電力の切替の段階が選択され、記憶部２から低の送信電力の切替の段階に対応するしきい値が読み出される。次に、読み出したしきい値を基に判定部５にて現在の受信電力値が復帰用上限値＞受信電力≧下限値の範囲であることが判定され、命令部６は判定結果を受け送信部７へ送信電力を標準状態へ切り替える切替信号を出力する。
【００２２】
上記のように切替が３段階（低、標準、高）の場合について説明したが、実際の移動局１００にはさらに切替数の多い方式が用いられる。次に図６を参照して送信電力の切替段階が７段階（低３、低２、低１、標準、高１、高２、高３）の場合の送信電力制御装置１の動作について説明する。図７はこのとき記憶部２に蓄積されているテーブルである。
【００２３】
図７を参照して、現在の送信電力が標準状態の動作について説明する。まず、選択部４で現在の送信出力である標準の送信電力の切替の段階が選択され、記憶部２から標準の送信電力の切替の段階に対応するしきい値が読み出される。次に、読み出されたしきい値を基に判定部５にて現在の受信電力値が、受信電力≧上限値３、上限値３＞受信電力≧上限値２、上限値２＞受信電力≧上限値１、上限値１＞受信電力≧下限値１、下限値１＞受信電力≧下限値２、下限値２＞受信電力≧下限値３、下限値３＞受信電力のどれが成立するか判定される。命令部６は判定結果を受け送信部７へ送信電力を切り替える切替信号を出力する。例えば、現在の受信電力値が上限値２＞受信電力≧上限値１の範囲内と判定されれば、図６より低１の状態へ送信電力を切り替える切替信号を出力する。
【００２４】
次に、現在の送信電力が低１の状態の動作について説明する。まず、選択部４で現在の送信出力である低１の送信電力の切替の段階が選択され、記憶部２から低１の送信電力の切替の段階に対応するしきい値が読み出される。次に、読み出されたしきい値を基に判定部５にて現在の受信電力値が、受信電力≧上限値３、上限値３＞受信電力≧上限値２、上限値２＞受信電力≧復帰用上限値１、復帰用上限値１＞受信電力≧下限値１、下限値１＞受信電力≧下限値２、下限値２＞受信電力≧下限値３、下限値３＞受信電力のどれが成立するか判定される。命令部６は判定結果を受け送信部７へ送信電力を切り替える切替信号を出力する。例えば、現在の受信電力値が復帰用上限値１＞受信電力≧下限値１の範囲内と判定されれば、図６より標準状態へ送信電力を切り替える切替信号を出力する。
【００２５】
以上から、現在の送信電力が標準状態のときの判定と低１状態のときの判定では、復帰用上限値１が用いられている点が異なるのみである。また、現在の送信電力が他の状態のときも同様であり、処理の内容は受信電力と比較する値が異なるのみである。すなわち、送信電力の切替数が増えても処理の内容は受信電力と比較するしきい値が異なるのみである。よって、送信電力の切替数が多くなったとしても、記憶部２にしきい値を蓄積することにより判定部５を１つに集約して、処理時に記憶部２から受信電力との比較に必要な値を読み出して送信電力を判定すれば良く、送信電力制御装置１が簡潔な構成となる。
【００２６】
また、上記送信電力制御装置１の構成から、移動局１００も簡潔な構成となる。
【００２７】
また、テーブルの各行に判定部５で使われる値をまとめて蓄積しており、さらにまとめられた値は判定部５での処理順に並べられているので、読み出しに要する時間および書き替えに要する時間を短縮することができる。
【００２８】
［実施の形態２］
本発明の送信電力制御装置１では判定部５の等号の位置が異なる場合がある。例えば実施の形態１で示した３段階（低、標準、高）での送信電力の切替において、以下に示すように受信電力を判定する場合がある。
【００２９】
選択部４で低が選択されたときは現在の受信電力値に対して、受信電力≧復帰用上限値、復帰用上限値＞受信電力＞下限値、下限値≧受信電力のどれが成立するか判定される。また、選択部４で標準が選択されたときは現在の受信電力値に対して、受信電力≧上限値、上限値＞受信電力＞下限値、下限値≧受信電力のどれが成立するか判定される。また、選択部４で高が選択されたときは現在の受信電力値に対して、受信電力≧上限値、上限値＞受信電力＞復帰用下限値、復帰用下限値≧受信電力のどれが成立するか判定される。
【００３０】
この場合、実施の形態１とは判定に用いるしきい値の等号の位置が異なる。そこで、図８に示す記憶部２内のテーブルを参照して、下限値および復帰用下限値に＋１を加えて以下に示す判定を行う。
【００３１】
選択部４で低が選択されたときは現在の受信電力値に対して、受信電力≧復帰用上限値、復帰用上限値＞受信電力≧（下限値＋１）、（下限値＋１）＞受信電力のどれが成立するか判定される。また、選択部４で標準が選択されたときは現在の受信電力値に対して、受信電力≧上限値、上限値＞受信電力≧（下限値＋１）、（下限値＋１）＞受信電力のどれが成立するか判定される。また、選択部４で高が選択されたときは現在の受信電力値に対して、受信電力≧上限値、上限値＞受信電力≧（復帰用下限値＋１）、（復帰用下限値＋１）＞受信電力のどれが成立するか判定される。
【００３２】
以上から実施の形態１と等号の位置が同じになる。したがって、送信電力制御装置１内に別の判定部５を備えるのではなく、図８のテーブルを用いることによって判定部５は実施の形態１と同様の処理を行うことができる。ここで、＋１としているが受信電力値の最小単位を加えればよい。
【図面の簡単な説明】
【００３３】
【図１】本発明の送信電力制御装置の構成を示す図である。
【図２】本発明の送信電力の制御方法について示した図である。
【図３】本発明の送信電力の制御方法について示した図である。
【図４】本発明の送信電力の制御方法について示した図である。
【図５】本発明の実施の形態１にかかる記憶部内のテーブルを示した図である。
【図６】本発明の送信電力の制御方法について示した図である。
【図７】本発明の実施の形態１にかかる記憶部内のテーブルを示した図である。
【図８】本発明の実施の形態２にかかる記憶部内のテーブルを示した図である。
【符号の説明】
【００３４】
１  送信電力制御装置、２  記憶部、３  切替手段、４  選択部、５  判定部、６  命令部、７  送信部、８  受信部、１００  移動局。
【図１】
2008124607.tif 000003
【図２】
2008124607.tif 000004
【図３】
2008124607.tif 000005
【図４】
2008124607.tif 000006
【図５】
2008124607.tif 000007
【図６】
2008124607.tif 000008
【図７】
2008124607.tif 000009
【図８】
2008124607.tif 000010